(57)【要約】  【課題】被検体を載置する天板の裏側にＸ線管が位置している状態で、被検体が余分にＸ線を浴びることなく、被検体の撮像範囲を確認できるようにする。  【解決手段】この発明の装置は、オペレータが被検体Ｍの撮像範囲を確認する場合、Ｘ線管２が配置されている天板１の裏側とは反対側である天板１の表側に配置された透過Ｘ線像検出用のＦＰＤ３の周縁部に設置されている投光器８により被検体Ｍの表面に撮像範囲明示用光像を投影する。被検体Ｍの表面に投影された撮像範囲明示用光像は、ＦＰＤ３の視野に対応する撮像範囲を示すので、オペレータは、被検体Ｍを載置する天板１の裏側にＸ線管２が位置している状態で、Ｘ線撮影を行なわずとも、撮像範囲明示用光像を見るだけで被検体Ｍの撮像範囲が確認できる。またＦＰＤ３の周縁部に設置されている投光器８は、ＦＰＤ３の視野外であるので、投光器８でＸ線撮影が妨げられることもない。【選択図】    図１
2006006388.tif 000002
【特許請求の範囲】
【請求項１】
天板に載置されている被検体にＸ線を照射するＸ線管と、被検体の透過Ｘ線像を検出する２次元Ｘ線検出器とが天板を挟んで対向配置されていて、少なくとも、Ｘ線管が天板の裏側に位置し、２次元Ｘ線検出器が天板の表側に位置している状態がとれると共に、Ｘ線管による被検体へのＸ線照射に伴って２次元Ｘ線検出器から出力されるＸ線画像用データに基づいて被検体の透過Ｘ線像に対応するＸ線画像を取得するＸ線撮影装置において、２次元Ｘ線検出器の視野に対応する撮像範囲を示す撮像範囲明示用光像を被検体の表面に投影する投光器が２次元Ｘ線検出器の周縁部に設置されていることを特徴とするＸ線撮影装置。
【請求項２】
請求項１に記載のＸ線撮影装置において、２次元Ｘ線検出器の視野の大きさ（視野サイズ）を変化させる視野調整手段を備えていて、投光器が視野調整手段による視野の大きさ変化に応じて撮像範囲明示用光像の投影態様を変化させるＸ線撮影装置。
【請求項３】
請求項１または２に記載のＸ線撮影装置において、Ｘ線管と２次元Ｘ線検出器の距離（ＳＩＤ）を変化させるＳＩＤ調整手段を備えていて、投光器がＳＩＤ調整手段によるＳＩＤ変化に応じて撮像範囲明示用光像の投影態様を変化させるＸ線撮影装置。
【請求項４】
請求項１から３のいずれかに記載のＸ線撮影装置において、２次元Ｘ線検出器がフラットパネル型Ｘ線検出器であるＸ線撮影装置。
【発明の詳細な説明】
【技術分野】
【０００１】
この発明は、天板に載置されている被検体にＸ線を照射するＸ線管と、被検体の透過Ｘ線像を検出する２次元Ｘ線検出器とが天板を挟んで対向配置されていて、少なくとも、Ｘ線管が天板の裏側に位置し、２次元Ｘ線検出器が天板の表側に位置している状態がとれると共に、Ｘ線管による被検体へのＸ線照射に伴って２次元Ｘ線検出器から出力されるＸ線画像用データに基づいて被検体の透過Ｘ線像に対応するＸ線画像を取得するに係り、特に被検体の撮像範囲を確認するための技術に関する。
【背景技術】
【０００２】
近年、病院等の医療機関で診断・治療に用いられているＸ線撮影装置は、図９に示すように、天板６０に載置された被検体ＭにＸ線を照射するＸ線管６１と、イメージインテンシファイアなどの被検体Ｍの透過Ｘ線像を検出する２次元Ｘ線検出器６２とが天板６０を挟んで対向配置されていて、Ｘ線管６１による被検体ＭへのＸ線照射に伴って２次元Ｘ線検出器６２から出力されるＸ線画像用データに基づいて被検体Ｍの透過Ｘ線像に対応するＸ線画像を取得し、表示モニタ（図示省略）の画面に映し出す。
【０００３】
そして、従来のＸ線撮影装置の場合、被検体Ｍの撮像範囲の確認は、通常、実際にＸ線撮影を行なってＸ線画像を表示モニタ（図示省略）の画面に映し出すことで行なっている。しかし、Ｘ線画像の上で被検体Ｍの撮像範囲を確認する場合には、被検体Ｍが余分にＸ線を浴びてしまう。
【０００４】
そこで、Ｘ線管６１の前面に配置された照準ランプ（図示省略）でＸ線照射範囲を照らし出すことで被検体Ｍの撮像範囲を確認することも行なわれている。
【０００５】
又、さらには、Ｘ線管６１の前面に配置されたカメラ（図示省略）で被検体の撮像範囲を写し出すことで被検体Ｍの撮像範囲を確認することも行なわれている（例えば、特許文献１を参照。）。
【特許文献１】特開２００３−１１６８４５号公報（３〜５頁、図９，図１１，図１３）
【発明の開示】
【発明が解決しようとする課題】
【０００６】
しかしながら、後の二つのＸ線撮影装置の場合、時として、被検体Ｍの撮像範囲の確認ができないことがある。Ｘ線管６１が天板６０の裏側に位置し、２次元Ｘ線検出器６２が天板６０の表側に位置する状態の時は、照準ランプ（図示省略）でＸ線照射範囲を照らし出したり、カメラ（図示省略）で被検体Ｍの撮像範囲を写し出すことができないので、被検体Ｍの撮像範囲を確認することができない。
【０００７】
この発明は、このような事情に鑑みてなされたものであって、被検体を載置する天板の裏側にＸ線管が位置している状態で、被検体が余分にＸ線を浴びることなく、被検体の撮像範囲を確認することができるＸ線撮影装置を提供することを目的とする。
【課題を解決するための手段】
【０００８】
請求項１の発明は、このような目的を達成するために、次のような構成をとる。
【０００９】
即ち、請求項１に記載の発明に係るＸ線撮影装置は、天板に載置されている被検体にＸ線を照射するＸ線管と、被検体の透過Ｘ線像を検出する２次元Ｘ線検出器とが天板を挟んで対向配置されていて、少なくとも、Ｘ線管が天板の裏側に位置し、２次元Ｘ線検出器が天板の表側に位置している状態がとれると共に、Ｘ線管による被検体へのＸ線照射に伴って２次元Ｘ線検出器から出力されるＸ線画像用データに基づいて被検体の透過Ｘ線像に対応するＸ線画像を取得するＸ線撮影装置において、２次元Ｘ線検出器の視野に対応する撮像範囲を示す撮像範囲明示用光像を被検体の表面に投影する投光器が２次元Ｘ線検出器の周縁部に設置されていることを特徴とするものである。
【００１０】
［作用・効果］請求項１の発明のＸ線撮影装置においては、天板に載置された被検体にＸ線を照射するＸ線管と被検体の透過Ｘ線像を検出する２次元Ｘ線検出器とが天板を挟んで対向しているので、Ｘ線管が天板の裏側に位置している状態では、２次元Ｘ線検出器は必ず天板の表側に位置している状態となり、２次元Ｘ線検出器の方が天板の上の被検体に直に対面する。このＸ線管が天板の裏側に位置している状態でオペレータが被検体の撮像範囲を確認する場合、２次元Ｘ線検出器の周縁部に設置されている投光器によって被検体の表面に撮像範囲明示用光像を投影する。
【００１１】
被検体の表面に投影された撮像範囲明示用光像は、２次元Ｘ線検出器の視野に対応する撮像範囲を示しているので、オペレータは、被検体を載置する天板の裏側にＸ線管が位置している状態で、Ｘ線撮影を行なわずとも、撮像範囲明示用光像を見るだけで被検体の撮像範囲が確認できる。
【００１２】
また、撮像範囲明示用光像を投影する投光器は、２次元Ｘ線検出器の周縁部に設置されていて、２次元Ｘ線検出器の視野外であるので、投光器によってＸ線撮影が妨げられることもない。
【００１３】
さらに、請求項２の発明は、請求項１に記載のＸ線撮影装置において、２次元Ｘ線検出器の視野の大きさ（視野サイズ）を変化させる視野調整手段を備えていて、投光器が視野調整手段による視野の大きさ変化に応じて撮像範囲明示用光像の投影態様を変化させるものである。
【００１４】
［作用・効果］請求項２の発明のＸ線撮影装置の場合、視野調整手段によって２次元Ｘ線検出器の視野の大きさが変化させられると、２次元Ｘ線検出器の透過Ｘ線像の検出範囲が変化するので、２次元Ｘ線検出器の視野に対する被検体の撮像範囲も変化することになる。
【００１５】
しかし、請求項２の発明のＸ線撮影装置の場合、投光器が視野調整手段による視野の大きさ変化に合わせて撮像範囲明示用光像の投影態様を変化させるので、２次元Ｘ線検出器の視野の大きさが変化した時でも、撮像範囲明示用光像を見て速やかに被検体の撮像範囲が確認できる。
【００１６】
また、請求項３の発明は、請求項１または２に記載のＸ線撮影装置において、Ｘ線管と２次元Ｘ線検出器の距離（ＳＩＤ）を変化させるＳＩＤ調整手段を備えていて、投光器がＳＩＤ調整手段によるＳＩＤ変化に応じて撮像範囲明示用光像の投影態様を変化させるものである。
【００１７】
［作用・効果］請求項３の発明のＸ線撮影装置において、ＳＩＤ調整手段によってＸ線管と２次元Ｘ線検出器の距離（ＳＩＤ）を変化させると、２次元Ｘ線検出器に投影される被検体の透過Ｘ線像の倍率が変化するので、２次元Ｘ線検出器の視野に対する被検体の撮像範囲も変化する。
【００１８】
しかし、請求項３の発明のＸ線撮影装置の場合、投光器がＳＩＤ調整手段によるＳＩＤ変化に応じて撮像範囲明示用光像の投影態様を変化させるので、Ｘ線管と２次元Ｘ線検出器の距離（ＳＩＤ）が変化した時でも、撮像範囲明示用光像を見て速やかに被検体の撮像範囲が確認できる。
【００１９】
また、請求項４に記載の発明は、請求項１から３のいずれかに記載のＸ線撮影装置において、２次元Ｘ線検出器がフラットパネル型Ｘ線検出器であるものである。
【００２０】
［作用・効果］請求項４の発明のＸ線撮影装置の場合、２次元Ｘ線検出器が軽量・薄型のフラットパネル型Ｘ線検出器であるので、Ｘ線透過像検出用の２次元Ｘ線検出器まわりの構成の簡素化が図れる。
【００２１】
また、フラットパネル型Ｘ線検出器は、視野周辺の像歪みがイメージインテンシファイアに比べて小さいので、撮像範囲明示用光像をＸ線検出器の視野に的確に対応させることができるので、被検体の撮像範囲を正確に確認することができる。
【発明の効果】
【００２２】
請求項１の発明のＸ線撮影装置の場合、天板に載置された被検体にＸ線を照射するＸ線管と被検体の透過Ｘ線像を検出する２次元Ｘ線検出器とが天板を挟んで対向しているので、Ｘ線管が天板の裏側に位置している状態では、２次元Ｘ線検出器は必ず天板の表側に位置している状態となり、２次元Ｘ線検出器の方が天板の上の被検体に直に対面する。このＸ線管が天板の裏側に位置している状態でオペレータが被検体の撮像範囲を確認する場合、２次元Ｘ線検出器の周縁部に設置されている投光器によって被検体の表面に撮像範囲明示用光像を投影する。
【００２３】
被検体の表面に投影された撮像範囲明示用光像は、２次元Ｘ線検出器の視野に対応する撮像範囲を示しているので、オペレータは、被検体を載置する天板の裏側にＸ線管が位置している状態で、Ｘ線撮影を行なわずとも、撮像範囲明示用光像を見るだけで被検体の撮像範囲が確認できる。
【００２４】
また、撮像範囲明示用光像を投影する投光器は、２次元Ｘ線検出器の周縁部に設置されていて、２次元Ｘ線検出器の視野外であるので、投光器によってＸ線撮影が妨げられることもない。
【００２５】
よって、この発明のＸ線撮影装置によれば、被検体を載置する天板の裏側にＸ線管が位置している状態で、被検体が余分にＸ線を浴びることなく、被検体の撮像範囲を確認することができる。
【実施例】
【００２６】
この発明のＸ線撮影装置の実施例について図面を参照しながら詳しく説明する。図１は実施例に係る医用のＸ線撮影装置の全体構成を示すブロック図である。
【００２７】
実施例のＸ線撮影装置は、図１に示すように、天板１に載置された被検体ＭにＸ線を照射するＸ線管２と、被検体Ｍの透過Ｘ線像を検出する２次元Ｘ線検出器である直接変換タイプのフラットパネル型Ｘ線検出器（以下、適宜「ＦＰＤ」と略記）３とが、天板１を挟んで対向配置されている。Ｘ線管２は天板１の裏側に配置されていて、Ｘ線撮影実行中は、前段に配備されているＸ線照射制御部７の制御を受けながらＸ線管２がＸ線撮影条件に見合ったＸ線を天板１の裏側から被検体Ｍに照射する。ＦＰＤ３は天板１の表側に配置されていて、ＦＰＤ３が直に被検体Ｍと向き合った状態で、Ｘ線管２のＸ線照射に伴って生じる被検体Ｍの透過Ｘ線像を検出する。
【００２８】
また実施例の装置は、Ｘ線管２による被検体ＭへのＸ線照射に伴ってＦＰＤ３から出力されるＸ線画像用データに基づいて被検体Ｍの透過Ｘ線像に対応するＸ線画像を取得するデータ処理部４と、データ処理部４で取得されたＸ線画像を記憶するＸ線画像メモリ５と、データ処理部４で取得されたＸ線画像やＸ線撮影に必要な操作メニュー等を表示する表示モニタ６なども備えている。
【００２９】
一方、透過Ｘ線像検出用のＦＰＤ３は、図２に示すように、正方形のＸ線検出面３Ａを有しており、Ｘ線検出面３Ａには多数のＸ線検出素子３ａが、Ｘ線画像の画素配列に対応する配列でＸ方向（横方向）とＹ方向（縦方向）に配置されている。具体的には、例えばＸ方向とＹ方向にそれぞれ４０００個程度のＸ線検出素子３ａが並ぶ約４０００×約４０００のマトリックスの配列でＸ線検出素子３ａが配置されている。
【００３０】
そして、実施例の装置の場合、図３に示すように、ＦＰＤ３の視野に対応する撮像範囲を示す撮像範囲明示用光像Ｐを被検体Ｍの表面に投影する投光器８が、図２に示すように、ＦＰＤ３の周縁部のうち角隅に設置されている。この投光器８は、図２においてＦＰＤ３の周縁部の左上角に配置された左上角投光器８Ａと、図２においてＦＰＤ３の周縁部の右下角に配置された右下角投光器８Ｂとからなる。撮像範囲明示用光像Ｐは、図３において斜め左上側に出現している左上分割光像ＰＡと、図３において斜め右下側に出現している右下分割光像ＰＢとからなる。左上分割光像ＰＡは左上角投光器８Ａにより投影され、右下分割光像ＰＢは右下角投光器８Ｂにより投影される。
【００３１】
左上分割光像ＰＡは横向きラインＰＡ１と横向きラインＰＡ１の左端に上端が接続している縦向きラインＰＡ２とからなり、右下分割光像ＰＢは横向きラインＰＢ１と横向きラインＰＢ１の右端に下端が接続している縦向きラインＰＢ２とからなる。
【００３２】
一方、撮像範囲明示用光像ＰはＦＰＤ３の視野に対応する撮像範囲を示しているのであるので、ＦＰＤ３の視野の上端縁は横向きラインＰＡ１で示され、ＦＰＤ３の視野の左端縁は縦向きラインＰＡ２で示される。ＦＰＤ３の視野の下端縁は横向きラインＰＢ１で示され、ＦＰＤ３の視野の右端縁は縦向きラインＰＢ２で示されることになる。
【００３３】
つまり、図３において、斜め格子線が引かれている左上分割光像ＰＡと右下分割光像ＰＢの内側がＦＰＤ３の視野に対応する撮像範囲となる。
【００３４】
したがって、オペレータは、撮像範囲明示用光像Ｐを見れば、被検体Ｍの撮像範囲が直ちに確認できる。
【００３５】
また、実施例の装置は、ＦＰＤ３の視野の大きさ（視野サイズ）を変化させる視野調整部９を備えていて、投光器８が視野調整部９による視野の大きさ変化に応じて撮像範囲明示用光像Ｐの投影態様を変化させる構成とされている。
【００３６】
すなわち、視野調整部９は、操作部１２による入力操作等による設定に従って、ＦＰＤ３の視野を、例えば、図４に示すように、フルサイズ視野ＱＡから、２／３サイズ視野ＱＢや、１／２サイズ視野ＱＣへ変化させる。
【００３７】
フルサイズ視野ＱＡの場合、全Ｘ線検出素子３ａで透過Ｘ線像を検出する。２／３サイズ視野ＱＢの場合、２／３サイズ視野ＱＢの中に位置するＸ線検出素子３ａだけで透過Ｘ線像を検出する。１／２サイズ視野ＱＣの場合、１／２サイズ視野ＱＣの中に位置するＸ線検出素子３ａだけで透過Ｘ線像を検出する。
【００３８】
一方、左上角投光器８Ａと右下角投光器８Ｂは、それぞれ、図５に示すように、電気モータ８ａと、この電気モータ８ａの回転軸に一端が取り付けられ、先端に左上角投光器８Ａまたは右下角投光器８Ｂが取り付けられている回動レバー８ｂ等からなる投光角度可変機構を備えていて、電気モータ８ａの回転に伴って回動レバー８ｂが回るのに伴って左上角投光器８Ａや右下角投光器８Ｂの投光角度が変化させられる構成とされている。
【００３９】
さらに、左上角投光器８Ａと右下角投光器８Ｂは、それぞれ、横向きラインＰＡ１，ＰＢ１および縦向きラインＰＡ２，ＰＢ２の長さを変化させられる構成とされている。
【００４０】
そして、左上角投光器８Ａと右下角投光器８Ｂは、ＦＰＤ３の視野の大きさが変化すると光像投影制御部１０の制御にしたがって、ＦＰＤ３の視野の大きさの変化に合わせて、投光角度および横向きラインＰＡ１，ＰＢ１と縦向きラインＰＡ２，ＰＢ２の長さを変化させる。
【００４１】
したがって、図４に示すように、ＦＰＤ３の視野の大きさがフルサイズ視野ＱＡから２／３サイズ視野ＱＢへ変ると、被検体Ｍの表面には、図６に示すように、撮像範囲明示用光像Ｐに変わって、一点鎖線で示す撮像範囲明示用光像Ｐ１が投影される。また、ＦＰＤ３の視野の大きさがフルサイズ視野ＱＡから１／２サイズ視野ＱＣへ変ると、被検体Ｍの表面には、図６に示すように、撮像範囲明示用光像Ｐに変わって、二点鎖線で示す撮像範囲明示用光像Ｐ２が投影される。
【００４２】
つまりＦＰＤ３の視野の大きさが変化すると、ＦＰＤ３の透過Ｘ線像の検出範囲が変化するので、ＦＰＤ３の視野に対する被検体Ｍの撮像範囲が変化することになるのであるが、実施例の装置の場合、投光器８が視野調整部９による視野の大きさ変化に応じて撮像範囲明示用光像の投影態様を変化させるので、ＦＰＤ３の視野の大きさが変化した時でも、撮像範囲明示用光像を見て速やかに被検体Ｍの撮像範囲を確認できる。
【００４３】
加えて、実施例の装置は、Ｘ線管２とＦＰＤ３の距離（ＳＩＤ）を変化させるＳＩＤ調整部１１を備えていて、投光器８がＳＩＤ調整部１１によるＳＩＤ変化に応じて撮像範囲明示用光像の投影態様を変化させる構成とされている。
【００４４】
ＳＩＤ調整部１１は、例えば、操作部１２による入力操作等による設定に従って、ＦＰＤ３をＸ線管２に離接する向きに移動させることにより、図７に示すように、Ｘ線管２とＦＰＤ３の距離をＳＩＤａからＳＩＤｂへ変化させる。
【００４５】
ＳＩＤ調整部１１によってＸ線管２とＦＰＤ３の距離（ＳＩＤ）を変化させると、ＦＰＤ３に投影される被検体Ｍの透過Ｘ線像の倍率が変化してＦＰＤ３の視野に対する被検体Ｍの撮像範囲が変化する。
【００４６】
ＦＰＤ３に投影される被検体Ｍの透過Ｘ線像の倍率は、〔Ｘ線管２とＦＰＤ３の距離（ＳＩＤ）〕÷〔Ｘ線管２と被検体Ｍの距離ＸＬ〕であるので、例えば、図７に示すように、Ｘ線管２とＦＰＤ３の距離がＳＩＤａからＳＩＤｂへ変化させられた場合は、被検体Ｍの透過Ｘ線像の倍率は、ＳＩＤｂ／ＳＩＤａだけ変化することになる。
【００４７】
一方、左上角投光器８Ａおよび右下角投光器８Ｂは、Ｘ線管２とＦＰＤ３の距離（ＳＩＤ）が変化してＦＰＤ３に投影される被検体Ｍの透過Ｘ線像の倍率が変化すると、光像投影制御部１０の制御にしたがって、被検体Ｍの透過Ｘ線像の倍率の変化に合わせて、投光角度および横向きラインＰＡ１，ＰＢ１と縦向きラインＰＡ２，ＰＢ２の長さを変化させる。したがって、例えば、図７に示すように、Ｘ線管２とＦＰＤ３の距離（ＳＩＤ）がＳＩＤａからＳＩＤｂへ変化すると、被検体Ｍの表面には、図８に示すように、撮像範囲明示用光像Ｐに変わって、一点鎖線で示す撮像範囲明示用光像Ｐ３が投影される。
【００４８】
つまりＸ線管２とＦＰＤ３の距離（ＳＩＤ）が変化すると、ＦＰＤ３に投影される被検体Ｍの透過Ｘ線像の倍率が変化するので、ＦＰＤ３の視野に対する被検体Ｍの撮像範囲が変化することになるのであるが、実施例の装置の場合、投光器８がＳＩＤ調整部１１によるＳＩＤ変化に応じて撮像範囲明示用光像の投影態様を変化させるので、Ｘ線管２とＦＰＤ３の距離（ＳＩＤ）が変化した時でも、撮像範囲明示用光像を見て速やかに被検体Ｍの撮像範囲を確認できる。
【００４９】
なお、操作部１２はＸ線撮影の撮影条件の設定や、Ｘ線撮影の実行に必要な指令・データの入力を行なう入力機器である。また、主制御部１３は、コンピュータ（ＣＰＵ）と動作プログラムを中心に構成されていて、操作部１２等による各種の指令入力、あるいは、Ｘ線撮影の進行状況などに応じて適当な命令信号やデータを必要な処へ適時に送出し、装置全体を常に適切に動作させる統括制御機能を果たす。
【００５０】
以上に述べたように、実施例のＸ線撮影装置の場合、Ｘ線管２が配置されている天板１の裏側とは反対側である天板１の表側に、被検体Ｍの透過Ｘ線像を検出するＦＰＤ３が配置されていて、ＦＰＤ３が天板１の上の被検体Ｍに直に対面しており、オペレータが被検体Ｍの撮像範囲を確認する場合、ＦＰＤ３の周縁部に設置されている投光器８によって被検体Ｍの表面に撮像範囲明示用光像を投影する。被検体Ｍの表面に投影された撮像範囲明示用光像は、ＦＰＤ３の視野に対応する撮像範囲を示しているので、オペレータは、被検体Ｍを載置する天板１の裏側にＸ線管２が位置している状態でも、Ｘ線撮影を行なわずに、撮像範囲明示用光像を見るだけで被検体Ｍの撮像範囲が確認できる。
【００５１】
また、撮像範囲明示用光像を投影する投光器８は、ＦＰＤ３の周縁部に設置されていて、ＦＰＤ３の視野外であるので、投光器８によってＸ線撮影が妨げられることもない。
【００５２】
よって、実施例のＸ線撮影装置によれば、被検体Ｍを載置する天板１の裏側にＸ線管２が位置している状態で、被検体Ｍが余分にＸ線を浴びることなく、被検体Ｍの撮像範囲を確認することができる。
【００５３】
また、実施例の装置の場合、ＦＰＤ３は視野周辺の像歪みがイメージインテンシファイアに比べて小さいので、撮像範囲明示用光像をＦＰＤ３の視野に的確に対応させることができるので、被検体Ｍの撮像範囲を正確に確認することができる。
【００５４】
この発明は、上記の実施例に限られるものではなく、以下のように変形実施することも可能である。
【００５５】
（１）実施例のＸ線撮影装置の場合、Ｘ線管２は天板１の裏側に配置されており、ＦＰＤ３は天板１の表側に配置されていて、Ｘ線管２が常に天板１の裏側に位置し、ＦＰＤ３が常に天板１の表側に位置している状態となる構成であったが、Ｘ線管２が天板１の表側に位置し、ＦＰＤ３が天板１の裏側に位置している状態も一時的にとることができる他は実施例と同じ構成である装置を、変形例として挙げることができる。
【００５６】
（２）実施例の装置の場合、投光器８はＦＰＤ３の周縁部のうちの角隅に設置されていたが、投光器８はＦＰＤ３の周縁部のうちの角隅以外の処（例えば周縁部のうちの真ん中）に設置されていてもよい。
【００５７】
（３）この発明の装置の投光器により被検体の表面に投影される撮像範囲明示用光像は実施例の形状に限らず、被検体の撮像範囲を示す形状であれば何でも良い。
【００５８】
（４）実施例の装置の場合、ＦＰＤ３は直接変換タイプのＦＰＤであったが、ＦＰＤ３は間接変換タイプのものを用いるようにしてもよい。また、透過Ｘ線像検出用の２次元検出器は、ＦＰＤに限らず、ＦＰＤ以外の２次元Ｘ線検出器であってもよい。
【００５９】
（５）実施例の装置は、医用の装置であったが、この発明の装置は、医用に限らず、例えば工業用や原子力用の装置などにも適用することができる。
【図面の簡単な説明】
【００６０】
【図１】実施例のＸ線撮影装置の全体構成を示すブロック図である。
【図２】実施例の装置が備えているＦＰＤを示す平面図である。
【図３】実施例の装置によって被検体の表面に投影された撮像範囲明示用光像を示す平面図である。
【図４】実施例の装置のＦＰＤの視野の大きさの変化の様子を示す模式図である。
【図５】実施例の装置の投光器の投光角度を変化させる時の状況を示す正面図である。
【図６】実施例の装置のＦＰＤの視野の大きさの変化に伴う撮像範囲明示用光像の投影態様の変化を示す平面図である。
【図７】実施例の装置のＸ線管とＦＰＤの距離（ＳＩＤ）を変化させる時の様子を示す模式図である。
【図８】実施例の装置のＸ線管とＦＰＤの距離（ＳＩＤ）の変化に伴う撮像範囲明示用光像の投影態様の変化を示す平面図である。
【図９】従来のＸ線撮影装置の撮像系の要部構成を示す模式図である。
【符号の説明】
【００６１】
１              …  天板
２              …  Ｘ線管
３              …  ＦＰＤ（２次元Ｘ線検出器）
８              …  投光器
９              …  視野調整部（視野調整手段）
１０            …  光像投影制御部
１１            …  ＳＩＤ調整部（ＳＩＤ調整手段）
Ｐ              …  撮像範囲明示用光像
Ｐ１〜Ｐ３      …  撮像範囲明示用光像
Ｍ              …  被検体
【図１】
2006006388.tif 000003
【図２】
2006006388.tif 000004
【図３】
2006006388.tif 000005
【図４】
2006006388.tif 000006
【図５】
2006006388.tif 000007
【図６】
2006006388.tif 000008
【図７】
2006006388.tif 000009
【図８】
2006006388.tif 000010
【図９】
2006006388.tif 000011